(57)【特許請求の範囲】
【請求項１】
化粧料が収納される合成樹脂製の容器本体と、この容器本体に枢着される蓋体と、この蓋体に保持されるガラス製の鏡とを備えた化粧料容器において、
前記蓋体が外蓋部と鏡保持枠部とで構成されるとともに前記容器本体から取り外し可能に設けられ、鏡保持枠部と外蓋部とは、その前端部を互いに係合させてそれぞれ容器本体の後端部に枢着させることによって、その係合状態が維持されて外蓋部と鏡保持枠部との間に前記鏡を挟持し、蓋体を容器本体から取り外すことによって外蓋部と鏡保持枠部とが分離されることを特徴とする化粧料容器。
【発明の詳細な説明】
【０００１】
【発明の属する技術分野】
本発明は、化粧料が収納される容器本体とこれに枢着される蓋体とが合成樹脂で形成され、前記蓋体にガラス製の鏡を備えた化粧料容器に関する。
【０００２】
【従来の技術】
一般的に化粧料容器は携帯性やデザイン性などが重視され、丈夫で軽量であるとともに加工によって形状が制限されにくい合成樹脂で形成される一方、取り付けられる鏡としては、鮮明に映るガラス製の鏡が用いられている。また、収納される化粧料は蓋体を開いた状態で使用されることから、鏡は蓋体の裏面に貼着されていることが一般的であり、蓋体は開かれて比較的立てられた状態で使用されるので、鏡は自重等によって剥がれ落ちないように十分な接着力で貼着されている。
【０００３】
【発明が解決しようとする課題】
近年、ゴミ排出量の低減化や資源をリサイクルするために、廃棄物はそれらの材質等によって分別して回収されている。よって、合成樹脂製の容器本体および蓋体とこの蓋体に貼着されたガラス製の鏡とで構成される従来の化粧料容器は、鏡を蓋体から剥がし、分別して回収する必要がある。
【０００４】
しかしながら、従来の化粧料容器にあっては、鏡と蓋体とが強力な接着力で貼着されているので、鏡を容易に剥がし取ることができないという課題があった。
また、鏡と蓋体とを分別する作業は通常、化粧料を使用していた者が容器を捨てる際に行うのであるから、専用工具や治具等を使用することは極めて煩わしく分別収集の妨げになる虞がある。
【０００５】
本発明はかかる従来の課題に鑑みて成されたもので、容器本体および蓋体と鏡とを容易に分別することができる化粧料容器を提供することを目的とする。
【０００６】
【課題を解決するための手段】
かかる目的を達成するために本発明にかかる化粧料容器は、化粧料が収納される合成樹脂製の容器本体と、この容器本体に枢着される蓋体と、この蓋体に保持されるガラス製の鏡とを備えた化粧料容器において、前記蓋体が外蓋部と鏡保持枠部とで構成されるとともに前記容器本体から取り外し可能に設けられ、鏡保持枠部と外蓋部とは、その前端部を互いに係合させてそれぞれ容器本体の後端部に枢着させることによって、その係合状態が維持されて外蓋部と鏡保持枠部との間に前記鏡を挟持し、容器本体から取り外すことによって外蓋部と鏡保持枠部とが分離されることを特徴とする。
【０００７】
この構成によれば、外蓋部と鏡保持枠部とは、それらを容器本体から取り外すことによって、容器本体後端部との各枢着部位が互いに分離可能になるとともに、前端部の係合が解除可能になり、両者を分離してそれらの間に挟持されている鏡を容易に蓋体と分離することができる。したがって、鏡は何ら工具等を使用することなく取り外すことができ、材質の異なる容器本体および蓋体と鏡とを容易に分別することができる。
【０００８】
また、外蓋部と鏡保持枠部とは化粧料容器の使用時に、容器本体の後端部に枢着されているので、それらの前端部の係合状態も維持され、外蓋部と鏡保持枠部とによる鏡の挟持状態が維持されて鏡を確実に保持することができる。
【０００９】
【発明の実施の形態】
以下、本発明の一実施形態の化粧料容器を添付図面を参照して詳細に説明する。図１〜図４は本実施形態の化粧料容器を示し、図１は化粧料容器の分解斜視図、図２は蓋体を閉じた状態を示す側断面図、図３は蓋体を閉じた状態を示す正面断面図、図４は外蓋部、鏡保持枠部および鏡を示す斜視図である。
【００１０】
本実施形態の化粧料容器１０は、化粧料を収納する容器本体１４と、この容器本体１４に枢着されて開閉可能な蓋体１２とがいずれも合成樹脂で形成され、前記蓋体１２にはガラス製の鏡１８が保持されている。前記蓋体１２の前端部はフック２４を介して容器本体１４に係脱可能に形成されている。
【００１１】
前記容器本体１４は中央部に化粧料を収納する化粧料収納部１４ａが凹設されて皿状をなし、その平面形状はほぼ正方形状をなしている。この容器本体１４の四方の外周部のうち後側の外周部１４ｃは、左右の端部１４ｄを残しその中央部が切り欠かれて枢着凹部２０が形成されている。この枢着凹部２０は左右に、対向する一対の鉛直壁面２０ａを有し、これら鉛直壁面２０ａと直交する方向に向けられて架け渡された枢着軸２０ｂが設けられている。
前記蓋体１２は前記容器本体１４の平面形状に沿って形成された外蓋部１６と、この外蓋部１６に鏡１８とともに収納されて外蓋部１６との間に鏡１８を挟持する鏡保持枠部３０とで構成されている。
【００１２】
外蓋部１６は、その内側にほぼ正方形状をなす枠収納部１６ａが凹設され、周壁部１６ｂと天部１６ｃとで皿状に形成されている。前記周壁部１６ｂの後端部には容器本体１４の枢着凹部２０に入り込むヒンジ突部１６ｄが設けられ、このヒンジ突部１６ｄには枢着軸２０ｂと回動自在に係合されるスリット１６ｅが設けられている。
【００１３】
スリット１６ｅは、ほぼ楕円形状をなし、短軸側が枢着軸２０ｂの直径とほぼ同じ長さに形成され、蓋体１２が閉じられた状態で鉛直方向に長くなるように形成されている。このスリット１６ｅには、その下方に開放され枢着軸２０ｂの直径より狭い幅の間隙１６ｆが設けられ、その上方に枢着軸２０ｂの直径より狭い幅の切り込み部１６ｇが設けられてスリット１６ｅ上部の剛性が低減されている。即ち、外枠部１６は、スリット１６ｅに入り込んでいる枢着軸２０ｂを上記間隙１６ｆに押し当てて容器本体１４から離す方向に引っ張ると、上記低剛性部分によって間隙１６ｆが押し広げられ、容器本体１４から容易に取り外すことができる。
【００１４】
また、周壁部１６ｂの前端部には、枠収納部１６ａ側に開口２６ａを有して枠収納部１６ａと連通する係合凹部２６が形成されている。この係合凹部２６は鏡保持枠部３０に設けられ後述する係合突部３０ａが挿入されて互いに係合するように設けられている。この係合凹部２６の開口２６ａ高さは、周壁部１６ｂの高さより低く、かつ天部１６ｃ側に形成されている。
【００１５】
前記鏡保持枠部３０は、前記周壁部１６ｂの内周形状より僅かに小さな枠体状に形成され、前記枠収納部１６ａに収納されてその枠部分の全周が前記天部１６ｃに近接される。鏡保持枠部３０は、その肉厚が鏡１８の厚さより厚く形成され、天部１６ｃと反対側が全周に亘って内側に延出されて鏡挟持部３０ｂをなし、天部１６ｃ側の内周開口部３０ｃに鏡１８が収納される。即ち、鏡保持枠部３０が枠収納部１６ａに収納されると、鏡１８は天部１６ｃと鏡挟持部３０ｂとで挟まれることになる。
【００１６】
また、鏡保持枠部３０の前端部にはその外側に向かって延出され、前記係合凹部２６に入り込む前記係合突部３０ａが突設され、後端部には前記容器本体１４の枢着凹部２０に入り込む枢着突部３０ｄが間隔を隔てて２つ設けられている。これら枢着突部３０ｄには前記枢着軸２０ｂと回動自在に係合される枢着溝３０ｅがそれぞれ設けられている。この枢着溝３０ｅは前記スリット１６ｅと同形状をなしているので、外蓋部１６と同様に鏡保持部３０も容易に容器本体１４から取り外すことができる（スリット１６ｅと共通する部位には同一符号を付す）。
【００１７】
前記２つの枢着突部３０ｄは前記枢着凹部２０の左右の鉛直壁面２０ａにそれぞれ近接させて配置され、それら枢着突部３０ｄ間に外蓋部１６のヒンジ突部１６ｄが配置され、それぞれ枢着溝３０ｅとスリット１６ｅとが単一の枢着軸２０ｂにはめ込まれている。ここで、上記枢着突部３０ｄとヒンジ突部１６ｄとの配置はこれに限らず、ヒンジ突部１６ｄを間隔を隔てて左右に設け、それらの間に枢着突部３０ｄを配置しても構わない。
【００１８】
即ち、内周開口部３０ｃに鏡１８が納められた鏡保持枠部３０は、前端部の係合突部３０ａが係合凹部２６に挿入されて両者が係合した状態で枠収納部１６ａに収納される。このとき係合突部３０ａを係合凹部２６に挿入する際に、後端側の枢着突部３０ｄとヒンジ突部１６ｄとが接触することを避けて係合突部３０ａを斜めから係合凹部２６に挿入できるように、前記係合凹部２６は天部１６ｃ側に十分に広げておく。
【００１９】
鏡保持枠部３０と外蓋部１６とは前端側が係合した状態で後端部のが枢着突部３０ｄおよびヒンジ突部１６ｄがともに単一の枢着軸２０ｂに枢着されることによって一体をなし、天部１６ｃと鏡保持部３０ｂとによって鏡１８の挟持状態が維持される。したがって、外蓋部１６と鏡保持枠部３０とが枢着されている化粧料容器１０の使用時には、鏡１８を外蓋部１６と鏡保持枠部３０とによって確実に保持することができる。
【００２０】
そして、蓋体１２を容器本体１４から取り外す、即ち外蓋部１６と鏡保持枠部３０とを枢着軸２０ｂから取り外すことによって、外蓋部１６と鏡保持枠部３０との後端部は分離可能になり、これに伴って前端部の係合突部３０ａを係合凹部２６から抜き出してそれらの係合状態を解除することが可能になる。したがって、鏡１８は何ら工具等を使用することなく容易に取り外すことができ、材質の異なる容器本体１４および蓋体１２と鏡１８とを容易に分別することができる。
【００２１】
本実施形態においては、化粧料容器１０の外形形状をほぼ正方形状としたが、円形状であっても、またその他の形状でも構わない。
【００２２】
【発明の効果】
以上説明したように本発明にかかる化粧料容器は、外蓋部と鏡保持枠部とは容器本体から取り外すことによって、容器本体後端部との各枢着部位が互いに分離可能になるとともに、前端部の係合も解除可能になる。よって、外蓋部と鏡保持枠部によって挟持された鏡を容易に分別することができる。
【００２３】
また、化粧料容器の使用時には、外蓋部と鏡保持枠部とが容器本体の後端部に枢着され、前端部は互いに係合されているので、それらの間に鏡を確実に保持することができる。
【図面の簡単な説明】
【図１】本発明の一実施形態を示す化粧料容器の分解斜視図である。
【図２】蓋体を閉じた状態を示す側断面図である。
【図３】図２の正面断面図である。
【図４】外蓋部、鏡保持枠部および鏡を示す分解斜視図である。
【符号の説明】
１０  化粧料容器
１２  蓋体
１４  容器本体
１６  外蓋部
１８  鏡
３０  鏡保持枠部
【図１】
0004727044.tif 000002
【図２】
0004727044.tif 000003
【図３】
0004727044.tif 000004
【図４】
0004727044.tif 000005